【手続補正書】
【提出日】平成25年7月18日(2013.7.18)
【手続補正１】
【補正対象書類名】特許請求の範囲
【補正対象項目名】全文
【補正方法】変更
【補正の内容】
【特許請求の範囲】
【請求項１】
被写体を撮像して該被写体の電子的な画像データを連続的に生成する撮像部と、前記撮像部が生成した画像データを記憶する画像データ記憶部と、前記撮像部が生成した画像データに対応する画像を表示可能な表示部とを備え、前記画像データに特殊効果を施すことが可能な撮像装置であって、
各撮影シーンに適した撮影のフレームレートが予め設定された複数の撮影モードの中からいずれかの撮影モードを設定する撮影モード設定部と、
前記撮影モード設定部が設定した前記撮影モードにおけるフレームレートで生成された前記画像に対して特殊効果に関する情報の入力を受け付ける入力部と、
前記入力部が受け付けた情報に応じた特殊効果を前記画像に施して特殊効果画像を生成する特殊効果画像生成部と、
前記撮影モード設定部が設定した前記撮影モードのフレームレートで順次生成された前記画像を時系列に沿って前記表示部に表示させるとともに、前記撮影モード設定部が設定した撮影モードのフレームレートに対して組み合わせ可能な特殊効果に関する情報のみを前記表示部に表示させる表示制御部と、
を備えたことを特徴とする撮像装置。
【請求項２】
前記特殊効果画像生成部が前記画像に施す特殊効果と前記撮影モードのフレームレートとの組み合わせに応じた推奨度を与える推奨度情報を記憶する推奨度情報記憶部をさらに備え、
前記表示制御部は、前記推奨度情報記憶部が記憶する前記推奨度情報を参照して、前記特殊効果画像生成部が前記画像に施すべき特殊効果に関する情報を、前記撮影モード設定部が設定した撮影モードのフレームレートとの組み合わせに応じた前記推奨度の高い順に前記表示部に表示させることを特徴とする請求項１に記載の撮像装置。
【請求項３】
前記入力部は、前記表示部の表示画面上に設けられ、外部から接触する物体の位置に応じた信号の入力を受け付けるタッチパネルを有し、
前記表示制御部は、前記特殊効果に関する情報をアイコンによって前記表示部に表示させ、
前記特殊効果画像生成部は、前記タッチパネルが前記アイコンの表示領域上に位置する接触領域で入力を受け付けた前記アイコンに対応する特殊効果を、前記画像に施して前記特殊効果画像を生成することを特徴とする請求項１または２に記載の撮像装置。
【請求項４】
前記表示制御部は、前記撮影モード設定部が設定した前記撮影モードのフレームレートと特殊効果との組み合わせに応じて前記アイコンの色および／または大きさを変えて前記表示部に表示させることを特徴とする請求項３に記載の撮像装置。
【請求項５】
被写体を撮像して該被写体の電子的な画像データを連続的に生成し、該画像データに対応する画像を表示可能であるとともに、前記画像に特殊効果を施すことが可能な撮像装置が実行する表示方法であって、
各撮影シーンに適した撮影のフレームレートが予め設定された複数の撮影モードの中からいずれかの撮影モードを当該撮像装置に設定する撮影モード設定ステップと、
前記撮影モード設定ステップが設定した前記撮影モードにおけるフレームレートで生成された前記画像に対して特殊効果に関する情報の入力を受け付ける入力ステップと、
前記入力ステップが受け付けた情報に応じた特殊効果を前記画像に施して特殊効果画像を生成する特殊効果画像生成ステップと、
前記撮影モード設定ステップで設定した前記撮影モードのフレームレートで順次生成された前記画像を時系列に沿って表示部に表示させるとともに、前記撮影モード設定ステップで設定した撮影モードのフレームレートに対して組み合わせ可能な特殊効果に関する情報のみを表示部に表示させる表示制御ステップと、
を含むことを特徴とする表示方法。
【請求項６】
被写体を撮像して該被写体の電子的な画像データを連続的に生成し、該画像データに対応する画像を表示可能であるとともに、前記画像に特殊効果を施すことが可能な撮像装置に、
各撮影シーンに適した撮影のフレームレートが予め設定された複数の撮影モードの中からいずれかの撮影モードを当該撮像装置に設定する撮影モード設定ステップと、
前記撮影モード設定ステップが設定した前記撮影モードにおけるフレームレートで生成された前記画像に対して特殊効果に関する情報の入力を受け付ける入力ステップと、
前記入力ステップが受け付けた情報に応じた特殊効果を前記画像に施して特殊効果画像を生成する特殊効果画像生成ステップと、
前記撮影モード設定ステップで設定した前記撮影モードのフレームレートで順次生成された前記画像を時系列に沿って表示部に表示させるとともに、前記撮影モード設定ステップで設定した撮影モードのフレームレートに対して組み合わせ可能な特殊効果に関する情報のみを表示部に表示させる表示制御ステップと、
を実行させることを特徴とする撮像プログラム。
【手続補正２】
【補正対象書類名】明細書
【補正対象項目名】発明の名称
【補正方法】変更
【補正の内容】
【発明の名称】撮像装置、表示方法および撮像プログラム
【手続補正３】
【補正対象書類名】明細書
【補正対象項目名】０００８
【補正方法】変更
【補正の内容】
【０００８】
上述した課題を解決し、目的を達成するために、本発明にかかる撮像装置は、被写体を撮像して該被写体の電子的な画像データを連続的に生成する撮像部と、前記撮像部が生成した画像データを記憶する画像データ記憶部と、前記撮像部が生成した画像データに対応する画像を表示可能な表示部とを備え、前記画像データに特殊効果を施すことが可能な撮像装置であって、各撮影シーンに適した撮影のフレームレートが予め設定された複数の撮影モードの中からいずれかの撮影モードを設定する撮影モード設定部と、前記撮影モード設定部が設定した前記撮影モードにおけるフレームレートで生成された前記画像に対して特殊効果に関する情報の入力を受け付ける入力部と、前記入力部が受け付けた情報に応じた特殊効果を前記画像に施して特殊効果画像を生成する特殊効果画像生成部と、前記撮影モード設定部が設定した前記撮影モードのフレームレートで順次生成された前記画像を時系列に沿って前記表示部に表示させるとともに、前記撮影モード設定部が設定した撮影モードのフレームレートに対して組み合わせ可能な特殊効果に関する情報のみを前記表示部に表示させる表示制御部と、を備えたことを特徴とする。
【手続補正４】
【補正対象書類名】明細書
【補正対象項目名】０００９
【補正方法】変更
【補正の内容】
【０００９】
また、本発明に係る撮像装置は、上記発明において、前記特殊効果画像生成部が前記画像に施す特殊効果と前記撮影モードのフレームレートとの組み合わせに応じた推奨度を与える推奨度情報を記憶する推奨度情報記憶部をさらに備え、前記表示制御部は、前記推奨度情報記憶部が記憶する前記推奨度情報を参照して、前記特殊効果画像生成部が前記画像に施すべき特殊効果に関する情報を、前記撮影モード設定部が設定した撮影モードのフレームレートとの組み合わせに応じた前記推奨度の高い順に前記表示部に表示させることを特徴とする。
【手続補正５】
【補正対象書類名】明細書
【補正対象項目名】００１２
【補正方法】変更
【補正の内容】
【００１２】
また、本発明にかかる表示方法は、被写体を撮像して該被写体の電子的な画像データを連続的に生成し、該画像データに対応する画像を表示可能であるとともに、前記画像に特殊効果を施すことが可能な撮像装置が実行する表示方法であって、各撮影シーンに適した撮影のフレームレートが予め設定された複数の撮影モードの中からいずれかの撮影モードを当該撮像装置に設定する撮影モード設定ステップと、前記撮影モード設定ステップが設定した前記撮影モードにおけるフレームレートで生成された前記画像に対して特殊効果に関する情報の入力を受け付ける入力ステップと、前記入力ステップが受け付けた情報に応じた特殊効果を前記画像に施して特殊効果画像を生成する特殊効果画像生成ステップと、前記撮影モード設定ステップで設定した前記撮影モードのフレームレートで順次生成された前記画像を時系列に沿って表示部に表示させるとともに、前記撮影モード設定ステップで設定した撮影モードのフレームレートに対して組み合わせ可能な特殊効果に関する情報のみを表示部に表示させる表示制御ステップと、を含むことを特徴とする。
また、本発明にかかる撮像プログラムは、被写体を撮像して該被写体の電子的な画像データを連続的に生成し、該画像データに対応する画像を表示可能であるとともに、前記画像に特殊効果を施すことが可能な撮像装置に、各撮影シーンに適した撮影のフレームレートが予め設定された複数の撮影モードの中からいずれかの撮影モードを当該撮像装置に設定する撮影モード設定ステップと、前記撮影モード設定ステップが設定した前記撮影モードにおけるフレームレートで生成された前記画像に対して特殊効果に関する情報の入力を受け付ける入力ステップと、前記入力ステップが受け付けた情報に応じた特殊効果を前記画像に施して特殊効果画像を生成する特殊効果画像生成ステップと、前記撮影モード設定ステップで設定した前記撮影モードのフレームレートで順次生成された前記画像を時系列に沿って表示部に表示させるとともに、前記撮影モード設定ステップで設定した撮影モードのフレームレートに対して組み合わせ可能な特殊効果に関する情報のみを表示部に表示させる表示制御ステップと、を実行させることを特徴とする。
【手続補正６】
【補正対象書類名】明細書
【補正対象項目名】００１３
【補正方法】変更
【補正の内容】
【００１３】
本発明によれば、撮影モードのフレームレートで生成された画像に対して特殊効果の組み合わせの指針となる情報をユーザに提示することができるという効果を奏する。